(57)【要約】【課題】一年間を通して収穫が可能なマンゴー通年栽培方法を提供する。【解決手段】温室ハウスを第１ハウスから第６ハウスまで６つの栽培領域に分け、６つの栽培領域ごとに、それぞれ栽培環境を２ヶ月ずれた季節環境に維持し、それぞれ２ヶ月ずらしてマンゴーの種植えをし、それぞれマンゴーの発芽期から施肥、開花、施肥、生理落下、摘果、施肥を経て、成熟の収穫期までマンゴーを育成する。それぞれマンゴーの収穫後にも栽培領域ごとに設定された季節環境に応じた温度に制御しながら、枝払い、施肥、花芽分化、被覆、施肥を行って次の発芽を待つことを６つの栽培領域ごとに繰り返して、毎年、１棟のハウスから２ヶ月ごとに成熟マンゴーを収穫する。【選択図】      図２
2008259458.tif 000002
【特許請求の範囲】
【請求項１】
温室ハウスをｎ（２≦ｎ≦１２）個の栽培領域に分け、
該ｎ個の栽培領域ごとに、
それぞれ栽培環境を１２／ｎヶ月ずれた季節環境に維持し、
それぞれ１２／ｎヶ月ずらしてマンゴーの種植えをし、
それぞれマンゴーの発芽期から施肥、開花、施肥、生理落下、摘果、施肥を経て、成熟の収穫期までマンゴーを育成し、
それぞれマンゴーの収穫後にも栽培領域ごとに設定された季節環境に応じた温度に制御しながら、枝払い、施肥、花芽分化、被覆、施肥を行って次の発芽を待つことを前記ｎ個の栽培領域ごとに繰り返して、
前記ハウスから１２／ｎヶ月ごとに成熟マンゴーを収穫する、
ことを特徴とするマンゴー通年栽培方法
【発明の詳細な説明】
【技術分野】
【０００１】
本発明は、一年間を通して収穫が可能なマンゴー通年栽培方法に関する。
【背景技術】
【０００２】
従来、所望の作物を所望の時期に収穫するために、所望の作物に最適な環境をハウス内に出現させるための加温機とヒートポンプとを連動させたハイブリッド環境制御が実用化されている。
【０００３】
また、このようなハウス栽培では、一般に、ヒートポンプ、加温機、除湿装置、埋設冷却パイプ、埋設温水パイプ、自動散水機などを駆使して、季節にかかわりなく所望の環境をハウス内に出現させることができる。
【０００４】
例えば、栽培に必要なエネルギーを供給するシステムとして、ガス燃料を使用して運転され、熱及び電力を生産するコージェネレーション設備を用い、植物栽培ハウス単体で扱うような比較的小規模な農業施設形体において、ハウス内で栽培される植物に適した培地の管理と植物の育成を効率的に行うことが提案されている。（例えば、特許文献１参照。）
また、ハウスみかんでは、みかん樹根部周囲の地中を任意温度に冷却するための地中冷却設備と、換気装置、散水装置及び加温装置を備えた、内部気温を制御するための気温制御設備と、土壌に潅水をするための潅水設備とを備えたハウスを利用して、みかんを栽培し、通常よりも早い春先早期にみかんを市場に出荷することが提案されている。（例えば、特許文献２参照。）
また、野菜類の通年栽培では、アスパラガスを通年栽培する方法が提案されている。（例えば、特許文献３参照。）
【特許文献１】特開２００７−０２０５２４号公報（要約、図１）
【特許文献２】特開２００２−３６９３９７号公報（要約、図２）
【特許文献３】特開２００６−２４６８２９号公報（要約、図１）
【発明の開示】
【発明が解決しようとする課題】
【０００５】
従来、二毛作とか三毛作など、一年間に同一の耕地を用いて多作する方法が実用化されている。しかし、これらはいずれも異なる作物を時期をたがえて交互に植えつけて栽培するものであって、同一の耕地に同一の作物を多作するものではない。
【０００６】
また、上述したアスパラガスを通年栽培する方法は、同一の野菜が一年を通じて手に入る方法であるが、このアスパラガスの通年栽培は、アスパラガスに限られる方法であって、他の植物にそのまま適用できる方法ではない。
【０００７】
また、春先早期に出荷できるハウスみかんの栽培は、促成栽培の技術が発達したからであるといえるが、次の出荷は翌年の同じく春先であって、通年でみかんが栽培できるわけではない。
【０００８】
ハウスみかんやハウス葡萄あるいはハウス苺がほぼ年間を通じて市場に出回っているのは、それぞれの地域で、抑制栽培や、通常栽培、促成栽培というように他の地域の栽培と重ならないようにハウス栽培しているからあって、同一地域で通年栽培しているわけではない。
【０００９】
このような、抑制栽培や、通常栽培、促成栽培などのハウス環境は、上述したハイブリッド環境制御やコージェネレーション設備の使用によって実現されているが、もし、ハウス環境を制御して、同一地域の耕地で通年で同じ作物あるいは同じ果物が栽培できれば、年間を通して同じ作物や果物を食することができ、熟期を支配して高収益時期に熟期を合わせること、或いは熟期を分散して暴落の危険を防止することが可能となるので収益の確保が担保できる。
【００１０】
本発明の課題は、上記従来の実情に鑑み、一年間を通して収穫が可能なマンゴー通年栽培方法を提供することである。
【課題を解決するための手段】
【００１１】
本発明のマンゴー通年栽培方法は、温室ハウスをｎ（２≦ｎ≦１２）個の栽培領域に分け、該ｎ個の栽培領域ごとに、それぞれ栽培環境を１２／ｎヶ月ずれた季節環境に維持し、それぞれ１２／ｎヶ月ずらしてマンゴーの種植えをし、それぞれマンゴーの発芽期から施肥、開花、施肥、生理落下、摘果、施肥を経て、成熟の収穫期までマンゴーを育成し、それぞれマンゴーの収穫後にも栽培領域ごとに設定された季節環境に応じた温度に制御しながらは、枝払い、施肥、花芽分化、被覆、施肥を行って次の発芽を待つことを６つの栽培領域ごとに繰り返して、上記ハウスから１２／ｎヶ月ごとに成熟マンゴーを収穫するように構成される。
【発明の効果】
【００１２】
本発明によれば、同一ハウス内で通年でマンゴーを収穫することができ、熟期を支配して高収益時期に熟期を合わせること、或いは熟期を分散して暴落の危険を防止することが可能となるので収益の確保が担保できる。
【発明を実施するための最良の形態】
【００１３】
以下、本発明の実施の形態を図面に基づいて詳細に説明する。
【実施例１】
【００１４】
図１は、温室ハウスでマンゴーを通常の環境で栽培するときの育成工程を示す基本作業工程図である。通常の環境で栽培といっても、マンゴーは亜熱帯植物であるので、栽培適温は２４℃〜３０℃である。また、休眠期の越冬温度は７℃〜８℃、出来得れば１０℃〜１５℃が理想的な温度といえる。
【００１５】
図１の基本作業工程図１は、上に１月から１２月まで１年間の時期を示している。また、その下の工程表では最上部と最下部に加温期間を示している。３月〜６月は２４℃〜３０℃の加温期間、１１月〜２月は１０℃〜１５℃の加温期間である。
【００１６】
尚、ハウスの加温制御は、ハウス内の空気の加温だけでなく土壌の加温や、空中及び土壌の湿度の調節が必要である。ただし本例では、それらの環境制御は前述したように例えばハイブリッド環境制御等で確立されているので、説明は省略し、１年１２ヶ月に沿った作付け作業の工程についてのみ説明する。
【００１７】
図１には示していないが、１月は原産地のインドの雨季に当たる。したがって、１月には潅水を行う。２月は乾季である、このころから２４℃〜３０℃の温度調節が始まる。
また、図１に示すように、２月は発芽期であり、種植えしたものは種から発芽し、越冬したものは花芽分化したものから発芽する。この発芽を待って、２月の終わりごろが施肥期となる。
【００１８】
この施肥期が過ぎると３月に開花する。工程表には示していないが、開花時には適度に潅水する。この開花から３月の終わりごろまでに再び施肥をする。この３月の終わりごろから４月の初めにかかけて、生理落果が始まる。
【００１９】
この生理落果を待って、４月初めから中旬にかけて、摘果を行う。この時期の果実はパチンコ球ほどの大きさのものが一枝に多数成るが、二枝に３個くらいの割合で残し、後は全部取り除いて捨てる。
【００２０】
この摘果には大変な手数が掛かり、マンゴーが高価な理由も、この摘果の手数に理由があるとされている。そして、４月の終わりから５月の初めごろにかけて施肥をする。
やがて６月に入ると果実が成熟しはじめる。この６月初めから７月にかけて収穫期となり、収穫された果実は梱包されて市場に出荷される。
【００２１】
収穫の終わった７月の終わりには夏枝を払って、８月中に施肥をする。そして９月には秋枝を払って再び施肥をする。この剪定は未着果の徒長枝を切り戻す作業である。
その後は、土壌を乾燥させて果樹への養分を絶ち、１０月終わりごろの花芽分化を待つ。花芽分化は、前年の主枝の先端の芽吹きが生育してくる状態を指している。
【００２２】
この時期は、わが国では外気の温度が低いので、ハウスの加温効果を高めるために、ハウス内に更にハウスを作ってハウスの構成を二重トンネルとし、下のトンネルを断熱膜材で覆う「被覆」を行う。また、これと共に施肥をし、ハウス内を１０℃〜１５℃に保って越冬させる。
【００２３】
このようにマンゴー栽培の基本作業工程では、一年１２ヶ月で作業工程が一巡し、毎年６月から７月にかけて収穫期となる。
本例では、このマンゴー栽培の基本作業工程を、単に一年間で一巡させて終わらせることなく、同一ハウス内を６箇所の耕地に仕切り、１年１２ヶ月の季節環境を２ヶ月ずつずらして、６箇所の耕地に再現し、その６箇所の耕地を用いてマンゴーを通年栽培する。
【００２４】
図２は、本発明のマンゴー通年栽培の方法を説明する通年栽培作業工程図である。同図の通年栽培作業工程図２に示すように、本例のハウスは、同一の温室ハウス内が、第１ハウスから第６ハウスまで６つの栽培領域に分けられる。
【００２５】
そして、それら６つの栽培領域ごとに、それぞれ栽培環境が２ヶ月ずれた季節環境に維持される。すなわち、同図に示すように、第１ハウスが図１に示したと全く同一に、一年間の季節が１月から始まっているのに対し、第２ハウスの１月は、第１ハウスの１１月から始まっている。
【００２６】
同様に、第３ハウスの１月は、第１ハウスの９月から始まり、第４ハウスの１月は、第１ハウスの７月から始まり、第５ハウスの１月は、第１ハウスの５月から始まり、第６ハウスの１月は、第１ハウスの３月から始まっている。
【００２７】
換言すれば、第１ハウスが１月の季節環境にあるときは、第２ハウスは３月の季節環境にあり、第３ハウスは５月の季節環境にあり、第４ハウスは７月の季節環境にあり、第５ハウスは９月の季節環境にあり、第６ハウスは１１月の季節環境にある。
【００２８】
これにより、第１ハウスから第６ハウスまで６つの栽培領域において、それぞれ２ヶ月ずらしてマンゴーの種植えをし、それぞれマンゴーの発芽期から施肥、開花、施肥、生理落下、摘果、施肥を経て、成熟の収穫期までマンゴーを育成すると、同図の通年栽培作業工程図２にハッチングで示すように、マンゴーの通年収穫が実現する。
【００２９】
すなわち、マンゴーは、第１ハウスからは６・７月に収穫され、第２ハウスからは８・９月に収穫され、第３ハウスからは１０・１１月に収穫され、第４ハウスからは１２・１月に収穫され、第５ハウスからは２・３月に収穫され、第６ハウスからは４・５月に収穫される。
【００３０】
そして、それら６つの栽培領域では、それぞれマンゴーの収穫後にも栽培領域ごとに設定された季節環境に応じた温度に制御されながら、枝払い、施肥、花芽分化、被覆、施肥を行って次の発芽を待つことを繰り返す。これにより一年間を通じて、この温室ハウスからは、２ヶ月ごとに成熟マンゴーが収穫される。
【００３１】
尚、上記実施の形態では、栽培領域を６つに分割しているが、これに限ることなく、分割数は２つ以上１２個以下であれば、いくつに分割してもよい。分割数が多ければマンゴーの収穫月が連続し、分割数が少ないとマンゴーの収穫月に間隔が空くことになるが、少なくとも一年一回の収穫に限定されることはなくなる。
【図面の簡単な説明】
【００３２】
【図１】温室ハウスでマンゴーを通常栽培するときの育成工程を示す図である。
【図２】本発明のマンゴー通年栽培の方法を説明する図である。
【符号の説明】
【００３３】
１      基本作業工程図
２      通年栽培作業工程図
【図１】
2008259458.tif 000003
【図２】
2008259458.tif 000004